(57)【特許請求の範囲】
【請求項１】
一方向に細長く且つ前記一方向に対して傾斜した外縁部を四隅に有するレンズ本体、及び、前記レンズ本体の前記一方向の両端から突出し且つ前記レンズ本体の中心に対して点対称に配置された４つのシート状の支持アームを備え、
前記支持アームは、前記レンズ本体の前記外縁部に沿うように形成された支持部及び前記支持部よりも細くて短い接続部を備え、前記接続部は前記レンズ本体の前記外縁部の前記レンズ本体の中心から前記一方向に遠い方の端部と前記支持部とを接続し、
前記支持アームの平面と前記レンズ本体の平面との夾角が10〜20度の範囲にあることにより、レンズ全体が類球状を現し、
前記レンズ本体に透明な導光領域が設けられ、前記導光領域は前記レンズ本体の前記導光領域でない領域によって全周を囲まれており、
前記レンズ本体及び前記支持アームはともに親水性ポリアクリレート材料で作られ、
前記レンズ本体には、前記透明な導光領域に位置しない複数の貫通穴が設けられ、
前記複数の貫通穴には、
前記４つの支持アームに対応して、前記レンズ本体の前記一方向の両端に前記レンズ本体の中心に対して点対称に設けられた４つの線形の貫通穴と、
前記一方向に前記導光領域を挟む位置であって、前記一方向に延びた前記レンズ本体の中心軸上に設けられた２つの円形の貫通穴とが含まれ、
前記４つの線形の貫通穴は、前記レンズ本体の前記外縁部に沿うように前記一方向に対して傾斜した方向に延在していることを特徴とする植込み型近視用レンズ。
【請求項２】
前記親水性ポリアクリレート材料は、メタクリル酸2-ヒドロキシエチルとアクリル酸アルキルエステル誘導体との共重合により生成したものであることを特徴とする請求項１に記載の植込み型近視用レンズ。
【請求項３】
前記親水性ポリアクリレート材料は、アルキルアクリレート、アルキルメタクリレートとスチレンとの共重合により生成したものであることを特徴とする請求項１に記載の植込み型近視用レンズ。
【請求項４】
前記親水性ポリアクリレート材料は、紫外線吸収剤及びブルーレイ吸収剤を含有することを特徴とする請求項１、２又は３に記載の植込み型近視用レンズ。
【発明の詳細な説明】
【技術分野】
【０００１】
本発明は、植込み型メガネの製造技術分野に関し、特に、植込み型近視用レンズに関する。
【背景技術】
【０００２】
人々の目は出生時に無色透明で、水晶体が柔らかくて無色透明なもので、緩和及び緊張時にともにフォーカス機能を実現でき、近いもの及び遠いものが明らかに見える。しかし、新生児の成長に従って、一部の人の目が近視になる。特に、コンピュータ技術、テレビ技術及びネットワーク技術の発展により、若い学生は多くの時間を費やしてコンピュータやインタネットで学習する。長時間で近距離にスクリーンを見ることにより、目の損傷につながるので、近視になる人はますます多くなり、近視の程度もますます高くなり、ひいては-10D以上に達したものもいる。このような人はメガネを着用しないと、歩きとか、ものを見るとか非常に困難である。しかし、一般的メガネを着用する場合、食事をする時にレンズに常に水蒸気が付き、不適切に使用する時にレンズの割れが発生してしまう。また、強度近視の人は強度近視用レンズを使用する必要があるので、レンズに複数のリングが現れ、美しさに影響する。コンタクトレンズを着用すると違和感がないが、常にコンタクトレンズを外して洗浄しなければならない。また、コンタクトレンズの材料には良好な透過性が要求されるので、一定期間後新しいものを交換する必要があり、非常に不便である。メガネの着用による悩みを解消するために、前世紀90年代から、人々はレーザー技術で角膜形状を処理することにより近視を解消するが、角膜を処理した後、しばしば目の乾燥が発生し、ひいては手術患者の角膜剥離につながることもある。
【０００３】
上記の技術的な欠陥にかんがみて、研究者は植込み型近視用レンズの設計及び材料の開発を始めた。アメリカ特許の5,258,025、5,480,428及び5,766,245では、Fedorov Sなどは初めて植込み型近視用レンズの設計及び植込み型近視用レンズを目に植え込む箇所を示した。アメリカ特許の5,913,898では、Feingold Vは初めて植込み型近視メガネ(ICL)を示した。アメリカ特許の6,015,435、6,428,574、6,506,212及び6,706,066では、Valunin Igorなどは初めて後室のフローティング植込み型近視用レンズの設計を示した。
【０００４】
従来技術で開示された植込み型近視用レンズに用いられる材料は、主としてPMMA材料、シリコーン材料及び疎水性ポリアクリレート材料である。PMMA材料が硬すぎ、折り畳み不可能なので、植え込み手術を行う場合、比較的大きなサイド口を開く必要があり、あまりにも多くの細胞の損失が発生し、眼組織への損傷が比較的厳しい。シリコーン材料及び疎水性ポリアクリレート材料はともに疎水性材料で、硬すぎることに加え、後室に植え込むと、誘発性白内障が発生しやすい。
【発明の概要】
【発明が解決しようとする課題】
【０００５】
本発明は、既存技術の欠陥について、人の目により自らサイズを調整し、使用における快適さが向上し、人の目に容易に植え込める植込み型近視用レンズを提供する。
【課題を解決するための手段】
【０００６】
本発明の植込み型近視用レンズは、一方向に細長く且つ前記一方向に対して傾斜した外縁部を四隅に有するレンズ本体、及び、前記レンズ本体の前記一方向の両端から突出し且つ前記レンズ本体の中心に対して点対称に配置された４つのシート状の支持アームを備え、前記支持アームは、前記レンズ本体の前記外縁部に沿うように形成された支持部及び前記支持部よりも細くて短い接続部を備え、前記接続部は前記レンズ本体の前記外縁部の前記レンズ本体の中心から前記一方向に遠い方の端部と前記支持部とを接続し、前記支持アームの平面と前記レンズ本体の平面との夾角が10〜20度の範囲にあることにより、レンズ全体が類球状を現し、前記レンズ本体に透明な導光領域が設けられ、前記導光領域は前記レンズ本体の前記導光領域でない領域によって全周を囲まれており、前記レンズ本体及び前記支持アームはともに親水性ポリアクリレート材料で作られ、前記レンズ本体には、前記透明な導光領域に位置しない複数の貫通穴が設けられ、前記複数の貫通穴には、前記４つの支持アームに対応して、前記レンズ本体の前記一方向の両端に前記レンズ本体の中心に対して点対称に設けられた４つの線形の貫通穴と、前記一方向に前記導光領域を挟む位置であって、前記一方向に延びた前記レンズ本体の中心軸上に設けられた２つの円形の貫通穴とが含まれ、前記４つの線形の貫通穴は、前記レンズ本体の前記外縁部に沿うように前記一方向に対して傾斜した方向に延在している。
【０００７】
【０００８】
【０００９】
好ましくは、前記親水性ポリアクリレート材料は、メタクリル酸2-ヒドロキシエチルとアクリル酸アルキルエステル誘導体との共重合により生成したものである。
【００１０】
好ましくは、前記親水性ポリアクリレート材料は、アルキルアクリレート、アルキルメタクリレートとスチレンまたはスチレン誘導体との共重合により生成したものである。
【００１１】
好ましくは、前記親水性ポリアクリレート材料は、紫外線吸収剤及びブルーレイ吸収剤を含有する。
【００１２】
植込み型近視用レンズの製造方法は次の手順を含む。
溶液に溶解された空気を除去するために、親水性アクリレート小分子単量体混合液に窒素を注入し、60分後、窒素圧で前記溶液をモールドに移し、さらに高温で厚さ約3mmのシート状の親水性ポリアクリレート材料を製作してから、前記シート状の親水性ポリアクリレート材料を円形の粗製レンズに切削する。
【００１３】
切削された前記円形の粗製レンズを抽出装置に入れ、アルコール系溶剤で抽出することにより、未重合の小分子及び中分子を除去し、そして乾燥処理を行う。
【００１４】
前記粗製レンズを透明な前記導光領域を有する前記レンズ本体に切削し、研磨で切削跡を除去し、最後に前記支持アームを切り出す。
【発明の効果】
【００１５】
本発明の良好な効果として、支持アームが折り曲げ可能な植込み型近視用レンズが提供される。レンズは人の目に植え込まれた場合、目の輪郭により自ら支持アームの折り曲げ角度を調整でき、同じ型式のレンズでも異なる大きさの目に植え込み可能である。支持アームとレンズ本体との接続部が細くて短いので、支持アームをより容易に折り曲げることができる。このように、レンズは人の目にもっとフィットし、快適性も良く、レンズ材料の屈折率が1.430〜1.490の範囲にあり、厚さも小さい。親水性ポリアクリレート材料は良好な弾性があり、人の目の中で回復時間が1秒未満である。また、植込手術を行う場合、わずかなサイド口を開く必要があるので、人の目に植え込むのに便利である。
【図面の簡単な説明】
【００１６】
本発明による実施形態または従来技術における技術的解決法をよりわかりやすく説明するために、実施形態または従来技術における技術的解決法の説明に必要な図面について簡単に紹介する。
【００１７】
【図１】本発明に係る参考例に開示された植込み型近視用レンズの概略正面図である。
【図２】本発明に係る参考例に開示された植込み型近視用レンズの概略側面図である。
【図３】本発明に係る実施形態に開示された植込み型近視用レンズの概略正面図である。
【図４】本発明に係る実施形態に開示された植込み型近視用レンズの概略側面図である。
【発明を実施するための形態】
【００１８】
以下、本発明に係る実施形態における添付図面とともに、本発明に係る実施形態における技術的解決法を明確で完全に説明する。
【００１９】
参考例
図１及び図２により、本参考例は植込み型近視用レンズを提供し、レンズ本体1及びレンズ本体1の縁に沿って切削された4つのシート状の支持アーム2を備え、支持アーム2は細くて短い接続部及び平たい支持部を備え、接続部はレンズ本体1の縁と接続し、支持アーム2の平面とレンズ本体1の平面との夾角が10〜20度の範囲にあることにより、レンズ全体が類球状を現し、レンズ本体1に透明な導光領域3が設けられ、透明な導光領域3は直径4.5〜6.0mm、中心厚さ0.05〜0.25mmの凹レンズであり、レンズ本体1及び支持アーム2はともに同じの親水性ポリアクリレート材料で作られる。
【００２０】
レンズの両側での体液交換のために、レンズ本体1に2つの円形の貫通穴4が開けられ、貫通穴4は透明な導光領域3に位置しない。
【００２１】
実施形態
図３及び図４により、実施形態は植込み型近視用レンズを提供し、レンズ本体5及びレンズ本体5の縁に沿って切削された4つのシート状の支持アーム6を備え、支持アーム6は細くて短い接続部及び平たい支持部を備え、接続部はレンズ本体5の縁と接続し、支持アーム6の内縁からレンズ本体5の縁までの間隔が実施形態1における支持アーム2の内縁からレンズ本体1の縁までの間隔より小さく、人の目に植えこまれた後、支持アーム6のスイング範囲がより狭く、支持アーム6の平面とレンズ本体5の平面との夾角が10〜20度の範囲にあることにより、レンズ全体が類球状を現し、レンズ本体5に透明な導光領域7が設けられ、透明な導光領域7は直径4.5〜6.0mm、中心厚さ0.05〜0.25mmの凹レンズであり、レンズ本体5及び支持アーム6はともに同じの親水性ポリアクリレート材料で作られる。
【００２２】
レンズの両側での体液交換のために、レンズ本体5に2つの円形の貫通穴8及び4つの線形の貫通穴8が開けられ、実施形態1に比べると増加した4つの線形の貫通穴により、体液交換がより順調に行え、貫通穴8は透明な導光領域7に位置しない。
【００２３】
本発明において、親水性ポリアクリレート材料は、メタクリル酸2-ヒドロキシエチルとアクリル酸アルキルエステル誘導体との共重合により生成したものであり、或いはアルキルアクリレート、アルキルメタクリレートとスチレンまたはスチレン誘導体との共重合により生成したものである。
【００２４】
そのうち、前記親水性ポリアクリレート材料は、重合可能な架橋性中分子または架橋性基も含有できる。重合可能な架橋性分子は、エチレングリコールジメタクリレート、プロピレングリコールジメタクリレート、ブタンジオールジメタクリレート、ヘキサンジオールジメタクリレート、エチレングリコールジアクリレート、プロピレングリコールジアクリレート、タンジオールジアクリレート、ヘキサンジオールジアクリレート、1,4-ジビニルベンゼンまたは1,3-ジビニルベンゼンである。架橋性基はメタクリロイル基、アクリロイル基またはビニルフェニル基である。
【００２５】
親水性ポリアクリレート材料は、紫外線吸収剤及びブルーレイ吸収剤を含有し、紫外線吸収剤はベンゾフェノンまたはベンゾトリアゾリル基を含有する。
【００２６】
本発明に係る植込み型近視用レンズは、植えこまれた後目の後室にあり、支持アームによる支持で、透明な導光領域は目の瞳孔中央にあり、透明な導光領域の外面が球面、非球面またはトーリック(Toric)光学面であり、親水性ポリアクリレート材料の屈折率が1.430〜1.490の範囲にあるので、レンズの厚さも小さく、莢膜との接触による誘発性白内障が発生しにくい。
【００２７】
本発明に係る植込み型近視用レンズの製造方法は次の手順を含む。
予め調製された親水性アクリレート小分子単量体混合液を3Lの三口ガラス瓶に入れ、溶液に溶解された空気を除去するために窒素を注入し、約60分後、窒素圧でこの小分子単量体混合液をモールドに移し、さらに高温で厚さ約3mm、長さ10.5インチ、幅さ9.5インチのシート状の親水性ポリアクリレート材料を製作してから、上記のシート状材料を円形の粗製レンズに切削する。
【００２８】
切削された円形の粗製レンズを抽出装置に入れ、アルコール系溶剤で抽出することにより、未重合の小分子及び中分子を除去し、そして乾燥処理を行う。
【００２９】
DACまたはOptoform切断機で粗製レンズを透明な導光領域を有するレンズ本体に切削し、研磨で切削跡を除去し、最後に支持アームを切り出す。
【００３０】
本発明で提供される支持アームが折り曲げ可能な植込み型近視用レンズは、レンズが人の目に植えこまれた場合、目の輪郭により自ら支持アームの折り曲げ角度を調整でき、同じ型式のレンズでも異なる大きさの目に植え込み可能である。支持アームとレンズ本体との接続部が細くて短いので、支持アームをより容易に折り曲げることができる。このように、レンズは人の目にもっとフィットし、快適性も良く、レンズ材料の屈折率が1.430〜1.490の範囲にあり、厚さも小さい。親水性ポリアクリレート材料は良好な弾性があり、人の目の中で回復時間が1秒未満である。また、植込手術を行う場合、わずかなサイド口を開く必要があるので、人の目に植え込むのに便利である。
【００３１】
開示された実施形態についての説明は、当業者が本発明を実現又は使用することを目的とする。これらの実施形態に対する様々な変更は、当業者にとって明らかに分かるものである。本明細書で定義される一般的原理は、本発明の精神または範囲から逸脱しない限り、その他の実施形態で実施できる。従って、本発明は、本明細書に示されるこれらの実施形態に限定されるものではなく、本明細書に開示される原理及び新規な特徴と一致する最も広い範囲に一致するものである。
【図１】
0006345773.tif 000002
【図２】
0006345773.tif 000003
【図３】
0006345773.tif 000004
【図４】
0006345773.tif 000005